(57)【特許請求の範囲】
【請求項１】
複数の送信局から送信された放送波を受信し、前記放送波の遅延差を測定する測定器において、
前記複数の送信局から直交したパイロット信号を含む放送波がそれぞれ送信され、
前記直交したパイロット信号が重畳した放送波のキャリアシンボルから、パイロット信号を抽出するＳＰ抽出部と、
前記ＳＰ抽出部により抽出されたパイロット信号を補間し、前記複数の送信局から当該測定器への経路毎の伝送路応答を求めるＳＰ補間部と、
前記ＳＰ補間部により求めた経路毎の伝送路応答をＩＦＦＴ（逆高速フーリエ変換）し、経路毎の遅延プロファイルを求めるＩＦＦＴ部と、
前記ＩＦＦＴ部により求めた経路毎の遅延プロファイルのピーク位置を検出し、前記ピーク位置の時間間隔を、前記遅延差として検出する遅延差検出部と、を備え、
前記複数の送信局からＭＩＭＯ（多入力多出力）システムの経路を介して放送波を受信する場合に、
前記ＳＰ補間部は、前記ＭＩＭＯシステムにおける複数の経路の伝送路応答を求め、
前記ＩＦＦＴ部は、前記ＭＩＭＯシステムにおける複数の経路の遅延プロファイルを求め、
前記遅延差検出部は、前記ＩＦＦＴ部により求めた複数の経路の遅延プロファイルのうち、当該測定器に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とする測定器。
【請求項２】
複数の送信局から送信された放送波を受信する装置に搭載されるチップにおいて、
前記複数の送信局から直交したパイロット信号を含む放送波がそれぞれ送信され、
前記直交したパイロット信号が重畳した放送波のキャリアシンボルから、パイロット信号を抽出するＳＰ抽出部と、
前記ＳＰ抽出部により抽出されたパイロット信号を補間し、前記複数の送信局から当該装置への経路毎の伝送路応答を求めるＳＰ補間部と、
前記ＳＰ補間部により求めた経路毎の伝送路応答をＩＦＦＴ（逆高速フーリエ変換）し、経路毎の遅延プロファイルを求めるＩＦＦＴ部と、
前記ＩＦＦＴ部により求めた経路毎の遅延プロファイルのピーク位置を検出し、前記ピーク位置の時間間隔を、前記放送波の遅延差として検出する遅延差検出部と、を備え、
前記複数の送信局からＭＩＭＯ（多入力多出力）システムの経路を介して放送波を受信する場合に、
前記ＳＰ補間部は、前記ＭＩＭＯシステムにおける複数の経路の伝送路応答を求め、
前記ＩＦＦＴ部は、前記ＭＩＭＯシステムにおける複数の経路の遅延プロファイルを求め、
前記遅延差検出部は、前記ＩＦＦＴ部により求めた複数の経路の遅延プロファイルのうち、当該装置に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とするチップ。
【請求項３】
複数の送信局から直交したパイロット信号を含む放送波を受信する装置による機能をコンピュータに実行させるプログラムであって、
前記直交したパイロット信号が重畳した放送波のキャリアシンボルから、パイロット信号を抽出する第１ステップと、
前記パイロット信号を補間し、前記複数の送信局から当該装置への経路毎の伝送路応答を求める第２ステップと、
前記経路毎の伝送路応答をＩＦＦＴ（逆高速フーリエ変換）し、経路毎の遅延プロファイルを求める第３ステップと、
前記経路毎の遅延プロファイルのピーク位置を検出し、前記ピーク位置の時間間隔を、前記放送波の遅延差として検出する第４ステップと、を有し、
当該装置が前記複数の送信局からＭＩＭＯ（多入力多出力）システムの経路を介して放送波を受信する場合に、
前記第２ステップは、前記ＭＩＭＯシステムにおける複数の経路の伝送路応答を求め、
前記第３ステップは、前記ＭＩＭＯシステムにおける複数の経路の遅延プロファイルを求め、
前記第４ステップは、前記第３ステップにより求めた複数の経路の遅延プロファイルのうち、当該装置に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とするプログラム。
【発明の詳細な説明】
【技術分野】
【０００１】
本発明は、複数の送信局から送信された放送波の遅延差を測定する測定器、チップ及びプログラムに関する。
【背景技術】
【０００２】
日本の地上デジタル放送方式であるＩＳＤＢ−Ｔ（Integrated Services Digital Broadcasting−Terrestrial）は、固定受信向けにハイビジョン（登録商標）放送（または複数標準画質放送）を実現している。次世代の地上デジタル放送方式では、従来のハイビジョン（登録商標）に代わり、３Ｄハイビジョン放送またはハイビジョン（登録商標）の１６倍の解像度を持つスーパーハイビジョン等により、さらに情報量の多いサービスを提供することが求められている。そのため、データ容量の拡大及び誤り訂正技術により、所要Ｃ／Ｎを低減することが課題となっている。
【０００３】
近年、無線によるデータ伝送容量を拡大するための手法として、例えばＨ（水平）偏波及びＶ（垂直）偏波を送受信アンテナにて同時に用いる２×２偏波ＭＩＭＯ（Multiple Input Multiple Output：多入力多出力）方式 が提案されている。また、ＳＴＣ（Space time code：時空間符号）とＳＦＮ（Single Frequency Network：単一周波数ネットワーク）技術を組み合わせたＳＴＣ−ＳＦＮが提案されている（例えば、非特許文献１，２を参照）。
【０００４】
ＳＴＣ−ＳＦＮでは、Ａ，Ｂ局の２つの送信局間でＳＦＮを構築することを想定している。送信側のＡ，Ｂ局及び受信側により、４×２偏波ＭＩＭＯシステムが構成される。送信側のそれぞれのＡ，Ｂ局では、２つの送信アンテナからＨ偏波及びＶ偏波を送信し、受信側では、２つの受信アンテナにて、Ａ局から送信されたＨ偏波及びＶ偏波を受信すると共に、Ｂ局から送信されたＨ偏波及びＶ偏波を受信し、復調する。
【０００５】
送信側から受信側への伝送路では、Ａ局からのＨ偏波及びＶ偏波並びにＢ局からのＨ偏波及びＶ偏波の４成分それぞれに直交するＳＰ（Scattered Pilot：スキャッタードパイロット）信号が重畳され、受信側は、重畳信号からそれぞれのＳＰ信号を抽出することにより、伝送路応答を求める。
【先行技術文献】
【非特許文献】
【０００６】
【非特許文献１】蔀、「次世代地上放送に向けた伝送技術−STC−SDM伝送用パイロット方式の検討−」、映情学技報Vol.36、No.42、p33(2012)
【非特許文献２】蔀、「次世代地上放送に向けた伝送技術−STC−SDM伝送を応用したSFNに関する検討−」、映情学技報Vol.36、No.51、p21(2012)
【発明の概要】
【発明が解決しようとする課題】
【０００７】
ところで、ある受信点において、Ａ局から送信された放送波とＢ局から送信された放送波との間の遅延差を測定する場合、地上デジタル放送では遅延プロファイルを用いることが一般的である。遅延プロファイルを用いて遅延差を測定するには、Ａ局の放送波に含まれるＳＰ信号のパターン（ＳＰパターン）と、Ｂ局の放送波に含まれるＳＰ信号のパターンとが同一であることが前提になっている。
【０００８】
しかしながら、ある受信点において、Ａ局から送信された放送波よりもＢ局から送信された放送波が遅れている場合、Ａ局の放送波のマルチパスによって、Ｂ局の主波が、Ａ局の遅延波に埋もれてしまうことがあり得る。この場合、Ｂ局の主波の位置を検出することができないから、両放送波の遅延差を検出することができないという問題があった。
【０００９】
また、前述の偏波ＭＩＭＯシステムでは、Ａ局のＨ偏波及びＶ偏波並びにＢ局のＨ偏波及びＶ偏波に含まれる４つのＳＰ信号のパターンは直交しており、同一ではない。このため、遅延プロファイルを用いて遅延差を測定するための前提を欠くことになり、遅延差を測定することができない、という問題があった。これは、両偏波を用いる偏波ＭＩＭＯシステムだけでなく、偏波を用いない空間ＭＩＭＯシステム、指向性ＭＩＭＯシステム、同一偏波を用いるＭＩＳＯ（Multiple Input Single Output：多入力単一出力）システム、及び偏波を用いない空間ＭＩＳＯシステム等においても同様である。
【００１０】
そこで、本発明は前記課題を解決するためになされたものであり、その目的は、複数の送信局からパターンの異なるＳＰ信号を含む放送波が送信された場合であっても、各放送波の遅延差を、遅延プロファイルを用いて測定可能な測定器、チップ及びプログラムを提供することにある。
【課題を解決するための手段】
【００１１】
前記課題を解決するために、請求項１の測定器は、複数の送信局から送信された放送波を受信し、前記放送波の遅延差を測定する測定器において、前記複数の送信局から直交したパイロット信号を含む放送波がそれぞれ送信され、前記直交したパイロット信号が重畳した放送波のキャリアシンボルから、パイロット信号を抽出するＳＰ抽出部と、前記ＳＰ抽出部により抽出されたパイロット信号を補間し、前記複数の送信局から当該測定器への経路毎の伝送路応答を求めるＳＰ補間部と、前記ＳＰ補間部により求めた経路毎の伝送路応答をＩＦＦＴ（逆高速フーリエ変換）し、経路毎の遅延プロファイルを求めるＩＦＦＴ部と、前記ＩＦＦＴ部により求めた経路毎の遅延プロファイルのピーク位置を検出し、前記ピーク位置の時間間隔を、前記遅延差として検出する遅延差検出部と、を備え、前記複数の送信局からＭＩＭＯ（多入力多出力）システムの経路を介して放送波を受信する場合に、前記ＳＰ補間部が、前記ＭＩＭＯシステムにおける複数の経路の伝送路応答を求め、前記ＩＦＦＴ部が、前記ＭＩＭＯシステムにおける複数の経路の遅延プロファイルを求め、前記遅延差検出部が、前記ＩＦＦＴ部により求めた複数の経路の遅延プロファイルのうち、当該測定器に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とする。
【００１４】
さらに、請求項２のチップは、複数の送信局から送信された放送波を受信する装置に搭載されるチップにおいて、前記複数の送信局から直交したパイロット信号を含む放送波がそれぞれ送信され、前記直交したパイロット信号が重畳した放送波のキャリアシンボルから、パイロット信号を抽出するＳＰ抽出部と、前記ＳＰ抽出部により抽出されたパイロット信号を補間し、前記複数の送信局から当該装置への経路毎の伝送路応答を求めるＳＰ補間部と、前記ＳＰ補間部により求めた経路毎の伝送路応答をＩＦＦＴ（逆高速フーリエ変換）し、経路毎の遅延プロファイルを求めるＩＦＦＴ部と、前記ＩＦＦＴ部により求めた経路毎の遅延プロファイルのピーク位置を検出し、前記ピーク位置の時間間隔を、前記放送波の遅延差として検出する遅延差検出部と、を備え、前記複数の送信局からＭＩＭＯ（多入力多出力）システムの経路を介して放送波を受信する場合に、前記ＳＰ補間部が、前記ＭＩＭＯシステムにおける複数の経路の伝送路応答を求め、前記ＩＦＦＴ部が、前記ＭＩＭＯシステムにおける複数の経路の遅延プロファイルを求め、前記遅延差検出部が、前記ＩＦＦＴ部により求めた複数の経路の遅延プロファイルのうち、当該装置に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とする。
【００１５】
さらに、請求項３のプログラムは、複数の送信局から直交したパイロット信号を含む放送波を受信する装置による機能をコンピュータに実行させるプログラムであって、前記直交したパイロット信号が重畳した放送波のキャリアシンボルから、パイロット信号を抽出する第１ステップと、前記パイロット信号を補間し、前記複数の送信局から当該装置への経路毎の伝送路応答を求める第２ステップと、前記経路毎の伝送路応答をＩＦＦＴ（逆高速フーリエ変換）し、経路毎の遅延プロファイルを求める第３ステップと、前記経路毎の遅延プロファイルのピーク位置を検出し、前記ピーク位置の時間間隔を、前記放送波の遅延差として検出する第４ステップと、を有し、当該装置が前記複数の送信局からＭＩＭＯ（多入力多出力）システムの経路を介して放送波を受信する場合に、前記第２ステップが、前記ＭＩＭＯシステムにおける複数の経路の伝送路応答を求め、前記第３ステップが、前記ＭＩＭＯシステムにおける複数の経路の遅延プロファイルを求め、前記第４ステップが、前記第３ステップにより求めた複数の経路の遅延プロファイルのうち、当該装置に備えた複数の受信アンテナの系統のそれぞれについての前記放送波における主成分の遅延プロファイルの振幅を、前記複数の受信アンテナの系統にて比較することで、最も感度の高い系統を判定し、当該系統の前記放送波における主成分の遅延プロファイルのピーク位置を検出し、前記ピーク位置のうち、所定の１つの送信局との間の経路におけるピーク位置と、前記所定の１つの送信局以外の送信局との間の経路におけるピーク位置との時間間隔を、前記遅延差として検出する、ことを特徴とする。
【発明の効果】
【００１６】
以上のように、本発明によれば、複数の送信局からパターンの異なるＳＰ信号を含む放送波が送信された場合であっても、各放送波の遅延差を、遅延プロファイルを用いて測定することが可能となる。
【図面の簡単な説明】
【００１７】
【図１】実施例１のＭＩＳＯシステムの全体構成例を示す概略図である。
【図２】実施例１にて用いるＳＰパターンの例を説明する図である。
【図３】実施例１における各経路の遅延プロファイルを説明する図である。
【図４】実施例１の測定器の構成例を示すブロック図である。
【図５】遅延差検出部の処理例を示すフローチャートである。
【図６】遅延差を説明する図である。
【図７】実施例２のＭＩＭＯシステムの全体構成例を示す概略図である。
【図８】実施例２にて用いるＳＰパターンの例を説明する図である。
【図９】実施例２における各経路の遅延プロファイルを説明する図である。
【図１０】実施例２の測定器の構成例を示すブロック図である。
【発明を実施するための形態】
【００１８】
以下、本発明を実施するための形態について図面を用いて詳細に説明する。本発明は、ＭＩＳＯシステムまたはＭＩＭＯシステムにおいて、直交するＳＰ信号を用いて遅延プロファイルを求め、遅延プロファイルを用いて各放送波の遅延差を測定することを特徴とする。具体的には、本発明の測定器は、直交するＳＰ信号が重畳した信号から各径路の伝送路応答を求め、伝送路応答から遅延プロファイルを求め、遅延プロファイルから各放送波の遅延差を測定する。ここで、直交するＳＰ信号が重畳した場合、その重畳した信号を四則演算することにより、各経路のＳＰ信号を抽出することができ、各経路の伝送路応答を求めることができる。
【００１９】
以下、実施例１にＭＩＳＯシステムの例を挙げ、実施例２に偏波ＭＩＭＯシステムの例を挙げて説明する。
【００２０】
〔実施例１〕
まず、実施例１について説明する。実施例１は、１本の送信アンテナをそれぞれ備えた２つの送信局（Ａ，Ｂ局）、及び１本の受信アンテナを備えた測定器により構成されるＳＴＣ−ＳＦＮの２×１ＭＩＳＯシステムにおいて、直交する２パターンのＳＰ信号を用いて遅延プロファイルを求め、遅延プロファイルを用いてＡ，Ｂ局間の放送波の遅延差を測定する例である。Ａ，Ｂ局から送信される放送波はＭＩＳＯ変調されている。遅延差は、ＳＦＮを構築する放送エリアの設計を行う上で重要なパラメータであり、測定器に搭載される測定項目である。尚、実施例１は、同一偏波を用いる例であるが、本発明は、異なる偏波を用いるＭＩＳＯシステム、及び偏波を用いない空間ＭＩＳＯシステム等にも適用がある。
【００２１】
〔ＭＩＳＯシステム／実施例１〕
図１は、実施例１のＭＩＳＯシステムの全体構成例を示す概略図である。このＭＩＳＯシステムは、ＳＴＣ−ＳＦＮのシステムであり、Ａ局に設けられた送信装置１０１、Ｂ局に設けられた送信装置１０２、及び測定器１を備えて構成される。送信装置１０１は１本の送信アンテナ１１１を備え、送信装置１０２は１本の送信アンテナ１１２を備え、測定器１は１本の受信アンテナ３を備えている。２本の送信アンテナ１１１，１１２及び１本の受信アンテナ３により、全体として２×１ＭＩＳＯシステムが構成される。
【００２２】
送信装置１０１及び送信装置１０２は、互いに直交するＳＰ信号を含む放送波を、送信アンテナ１１１，１１２からそれぞれ送信する。送信装置１０１及び送信装置１０２から測定器１への伝送路において、それぞれのＳＰ信号が重畳する。
【００２３】
図２は、実施例１にて用いるＳＰパターンの例を説明する図である。図２（１）（３）は、Ａ局の送信装置１０１に用いるＳＰパターンの例であり、図２（２）（４）は、Ｂ局の送信装置１０２に用いるＳＰパターンの例である。Ａ局の送信装置１０１にて図２（１）のＳＰパターンが用いられる場合、Ｂ局の送信装置１０２にて図２（２）のＳＰパターンが用いられる。また、Ａ局の送信装置１０１にて図２（３）のＳＰパターンが用いられる場合、Ｂ局の送信装置１０２にて図２（４）のＳＰパターンが用いられる。横軸はキャリア方向、縦軸はシンボル方向を示す。黒丸及び黒四角は、正のＳＰ信号（１＋０ｊ）を示し、白丸及び白四角は、ヌルのＳＰ信号（０＋０ｊ）を示し、バツ印の四角は、負のＳＰ信号（−１＋０ｊ）を示す。
【００２４】
図２（１）（２）に示すように、ＳＰ信号は、各シンボルに配置され、同一シンボルにおいて、キャリア方向につき１２個間隔に配置されており、正のＳＰ信号及びヌルのＳＰ信号は、２４個間隔に交互に配置されている。また、ＳＰ信号は、複数のシンボルにおいて３キャリア毎に配置され、同一キャリアにおいて、シンボル方向につき４シンボル間隔に配置されており、正のＳＰ信号及びヌルのＳＰ信号は、８シンボル間隔に交互に配置されている。
【００２５】
このように、ＳＰ信号は、８シンボルを周期としたパターンで構成されており、図２（１）（２）のＳＰ信号は直交している。このような直交するＳＰ信号を利用することにより、Ａ局の送信装置１０１から測定器１への伝送路応答とＢ局の送信装置１０２から測定器１への伝送路応答とを、個別に求めることができる。
【００２６】
尚、図２（１）（２）は、正のパイロットとヌルパイロットを合わせたＳＰパターンの例を示しているが、図２（３）（４）のように、正のパイロットのみのＳＰパターン、及び正のパイロットと負のパイロット（反転型パイロット）を合わせたＳＰパターンを用いるようにしてもよい。また、後述する図８に示すように、図８（１）（３）のＳＰパターンを用いるようにしてもよいし、図８（２）（４）のＳＰパターンを用いるようにしてもよいし、図８（１）（４）のＳＰパターンを用いるようにしてもよいし、図８（２）（３）のＳＰパターンを用いるようにしてもよい。また、ＳＰ信号のキャリア方向の補間後の間隔をＤｘ、シンボル方向の間隔をＤｙとすると、図２ではこれらの組み合わせの一例として、（Ｄｘ，Ｄｙ）＝（３，４）を示している。これに対し、（Ｄｘ，Ｄｙ）＝（６，２）、（６，４）等の様々な組み合わせとしてもよい。いずれの場合も、ＳＰ信号は直交しており、各成分を個別に分離できれば、どのような直交パターンでもよい。
【００２７】
図３は、実施例１における各経路の遅延プロファイルを説明する図である。図１に示したＭＩＳＯシステムでは、Ａ局の送信装置１０１及びＢ局の送信装置１０２と測定器１との間に２つの経路が形成される。送信装置１０１の送信アンテナ１１１から測定器１の受信アンテナ３への経路の遅延プロファイルをａとし、送信装置１０２の送信アンテナ１１２から測定器１の受信アンテナ３への経路の遅延プロファイルをｂとする。
【００２８】
送信装置１０１の送信アンテナ１１１から送信された放送波は、遅延プロファイルａの経路を介して測定器１の受信アンテナ３へ送信され、送信装置１０２の送信アンテナ１１２から送信された放送波は、遅延プロファイルｂの経路を介して測定器１の受信アンテナ３へ送信される。このとき、送信装置１０１及び送信装置１０２から測定器１への伝送路において、送信装置１０１からのＳＰ信号と送信装置１０２からのＳＰ信号とが重畳する。
【００２９】
図１に戻って、測定器１は、送信装置１０１からの放送波及び送信装置１０２からの放送波を、受信アンテナ３にて受信し、ＳＰ信号の直交性を利用して、重畳した信号からそれぞれのＳＰ信号を抽出し各経路の伝送路応答を求める。
【００３０】
そして、測定器１は、各経路の伝送路応答から遅延プロファイルａ，ｂを求め、遅延プロファイルａ，ｂから両放送波の遅延差を検出する。これにより、測定器１の受信アンテナ３を受信点として、両放送波の遅延差が検出される。
【００３１】
〔測定器１／実施例１〕
次に、図１に示した測定器１について詳細に説明する。図４は、実施例１の測定器１の構成例を示すブロック図である。この測定器１は、受信アンテナ３、有効シンボル期間抽出部１１、ＦＦＴ（Fast Fourier Transform：高速フーリエ変換）部１２、ＳＰ抽出部１３、ＳＰ補間部１４、ＩＦＦＴ部（Inverse Fast Fourier Transform：逆高速フーリエ変換）１５及び遅延差検出部１６を備えている。
【００３２】
尚、図４には、本発明と直接関連する構成部のみ示してあり、本発明と直接関連しないシンボル同期部等の構成部は省略してある。有効シンボル期間抽出部１１からＩＦＦＴ部１５までの構成部の処理は、従来のＯＦＤＭ信号を処理する構成部と同じである。
【００３３】
測定器１が受信アンテナ３にて、送信装置１０１，１０２から送信された放送波をそれぞれ受信すると、有効シンボル期間抽出部１１は、受信した放送波のＯＦＤＭ信号を入力し、ＯＦＤＭ信号から有効シンボル期間を抽出し、有効シンボル期間の信号をＦＦＴ部１２に出力する。具体的には、有効シンボル期間抽出部１１は、図示しないシンボル同期部からシンボルタイミングを入力し、シンボルタイミングに基づいて、受信したＯＦＤＭ信号からＧＩ期間及び有効シンボル期間を抽出し、ＧＩ期間を除去することで有効シンボル期間を抽出する。
【００３４】
ＦＦＴ部１２は、有効シンボル期間抽出部１１から有効シンボル期間の信号を入力し、有効シンボル期間の信号を高速フーリエ変換することで、時間領域の信号を周波数領域の信号に変換し、キャリアシンボルを生成する。ＦＦＴ部１２は、キャリアシンボルをＳＰ抽出部１３に出力する。
【００３５】
ＳＰ抽出部１３は、ＦＦＴ部１２からキャリアシンボルを入力し、キャリアシンボルから所定位置のＳＰ信号を抽出し、ＳＰ信号（受信ＳＰ信号）をＳＰ補間部１４に出力する。
【００３６】
ＳＰ補間部１４は、ＳＰ抽出部１３からＳＰ信号を入力し、ＳＰ信号をシンボル方向（時間方向）に補間する。そして、ＳＰ補間部１４は、補間後のＳＰ信号に基づいて、送信装置１０１の送信アンテナ１１１から測定器１の受信アンテナ３への経路の伝送路応答、及び送信装置１０２の送信アンテナ１１２から測定器１の受信アンテナ３への経路の伝送路応答を求め、各経路の伝送路応答をＩＦＦＴ部１５に出力する。
【００３７】
ここで、ＳＰ抽出部１３から入力したＳＰ信号（受信ＳＰ信号）は、図２（１）に示した送信装置１０１からのＳＰ信号と図２（２）に示した送信装置１０２からのＳＰ信号とが重畳した信号であるが、これらのＳＰ信号は直交している。このため、ＳＰ補間部１４は、受信ＳＰ信号から、送信装置１０１からのＳＰ信号を抽出して、送信装置１０１の送信アンテナ１１１から測定器１の受信アンテナ３への伝送路応答を求めることができ、送信装置１０２からのＳＰ信号を抽出して、送信装置１０２の送信アンテナ１１２から測定器１の受信アンテナ３への伝送路応答を求めることができる。
【００３８】
ＩＦＦＴ部１５は、ＳＰ補間部１４から各経路の伝送路応答を入力し、各経路の伝送路応答を逆高速フーリエ変換することで、周波数領域の信号を時間領域の信号に変換し、遅延プロファイルａ，ｂを求める。
【００３９】
遅延差検出部１６は、ＩＦＦＴ部１５から遅延プロファイルａ，ｂを入力し、遅延プロファイルａ，ｂのピーク位置を検出し、ピーク位置の時間間隔を、Ａ，Ｂ局から送信された両放送波の遅延差として検出する。そして、遅延差検出部１６は、遅延差を表示部等へ出力する。
【００４０】
図５は、遅延差検出部１６の処理例を示すフローチャートである。まず、遅延差検出部１６は、ＩＦＦＴ部１５から各経路の遅延プロファイルａ，ｂを入力する（ステップＳ５０１）。
【００４１】
遅延差検出部１６は、時間軸上において、遅延プロファイルａのピーク位置を検出すると共に、遅延プロファイルｂのピーク位置を検出する（ステップＳ５０２）。そして、遅延差検出部１６は、両ピーク位置の時間間隔（ピーク間隔）を求め、ピーク間隔を、Ａ，Ｂ局から送信された両放送波の遅延差として検出し（ステップＳ５０３）、遅延差を表示部等へ出力する（ステップＳ５０４）。
【００４２】
測定器１の受信アンテナ３を受信点として、Ａ局から送信された放送波とＢ局から送信された放送波との間に遅延差がある場合、両遅延プロファイルは、その分だけずれた状態となる。したがって、Ａ局の遅延プロファイルにおける主波（ピーク）とＢ局の遅延プロファイルにおける主波（ピーク）との間隔を求めることにより、ＦＦＴクロック単位で精度の高い遅延差を検出することができる。
【００４３】
図６は、遅延差を説明する図である。遅延差検出部１６により、Ａ局の送信装置１０１に備えた送信アンテナ１１１から測定器１の受信アンテナ３への経路の遅延プロファイルａからピーク位置Ｔ１が検出され、Ｂ局の送信装置１０２に備えた送信アンテナ１１２から測定器１の受信アンテナ３への経路の遅延プロファイルｂからピーク位置Ｔ２が検出される。そして、遅延差検出部１６により、ピーク位置Ｔ１，Ｔ２の時間間隔が求められ、これが遅延差として検出される。
【００４４】
図６に示すように、Ａ局の遅延プロファイルａのレベルがＢ局の遅延プロファイルｂよりも高い場合を想定する。有効シンボル期間抽出部１１により有効シンボル期間が抽出されるシンボルタイミングは、遅延プロファイルａのピーク位置Ｔ１であり、遅延プロファイルｂのピーク位置Ｔ２ではない。シンボルタイミングは、ガード相関等により検出され、有効シンボル期間の先頭を示す。このため、遅延プロファイルｂのピーク位置Ｔ２は、有効シンボル期間の先頭ではなく、ずれた分（ピーク位置Ｔ２とピーク位置Ｔ１との間の差）だけ位相が回転してしまう。
【００４５】
そこで、ＩＦＦＴ部１５により、例えば、Ａ局との間の伝送路応答の位相を基準にして、Ｂ局との間の伝送路応答について位相差が算出され、Ｂ局との間の伝送路応答に対し、位相差分の位相が補正される。そして、ＩＦＦＴ部１５により伝送路応答が逆高速フーリエ変換され、遅延プロファイルａ，ｂが求められる。これにより、図６に示したように、遅延プロファイルａ，ｂの関係が明確となり、それぞれのピーク位置Ｔ１，Ｔ２を精度高く検出することができる。
【００４６】
以上のように、実施例１の測定器１によれば、Ａ局の送信装置１０１及びＢ局の送信装置１０２から直交したＳＰ信号を含む放送波がそれぞれ送信され、ＳＰ信号が重畳した放送波を受信する。ＳＰ抽出部１３は、受信した放送波のＯＦＤＭ信号のキャリアシンボルからＳＰ信号を抽出し、ＳＰ補間部１４は、ＳＰ信号の直交性を利用し、ＳＰ信号を補間して各経路の伝送路応答を求める。そして、ＩＦＦＴ部１５は、各経路の伝送路応答を逆高速フーリエ変換することで、遅延プロファイルａ，ｂを求め、遅延差検出部１６は、遅延プロファイルａ，ｂのピーク位置を検出し、その時間間隔を、Ａ，Ｂ局から送信された両放送波の遅延差として検出する。
【００４７】
これにより、Ａ，Ｂ局からパターンの異なるＳＰ信号を含む放送波が送信された場合であっても、互いに分離可能な直交したＳＰ信号を利用することで、Ａ局から送信された放送波とＢ局から送信された放送波との間の遅延差を、遅延プロファイルを用いて測定することが可能となる。
【００４８】
〔実施例２〕
次に、実施例２について説明する。実施例２は、２本の送信アンテナをそれぞれ備えた２つの送信局（Ａ，Ｂ局）、及び２本の受信アンテナを備えた測定器により構成されるＳＴＣ−ＳＦＮの４×２偏波ＭＩＭＯシステムにおいて、直交する４パターンのＳＰ信号を用いて遅延プロファイルを求め、遅延プロファイルを用いてＡ，Ｂ局間の放送波の遅延差を測定する例である。Ａ，Ｂ局から送信される放送波は偏波ＭＩＭＯ波である。遅延差は、ＳＦＮを構築する放送エリアの設計を行う上で重要なパラメータであり、測定器に搭載される測定項目である。尚、実施例２は、両偏波を用いる例であるが、本発明は、偏波を用いない空間ＭＩＭＯシステム、指向性ＭＩＭＯシステム等にも適用がある。
【００４９】
〔ＭＩＭＯシステム／実施例２〕
図７は、実施例２のＭＩＭＯシステムの全体構成例を示す概略図である。このＭＩＭＯシステムは、ＳＴＣ−ＳＦＮの偏波システムであり、Ａ局に設けられた送信装置１０３、Ｂ局に設けられた送信装置１０４、及び測定器２を備えて構成される。送信装置１０３は２本の送信アンテナ１１３，１１４を備え、送信装置１０４は２本の送信アンテナ１１５，１１６を備え、測定器２は２本の受信アンテナ４，５を備えている。４本の送信アンテナ１１３〜１１６及び２本の受信アンテナ４，５により、全体として４×２偏波ＭＩＭＯシステムが構成される。送信アンテナ１１３，１１５及び受信アンテナ４は、Ｈ偏波用のアンテナであり、送信アンテナ１１４，１１６及び受信アンテナ５は、Ｖ偏波用のアンテナである。
【００５０】
送信装置１０３，１０４は、互いに直交するＳＰ信号を含むＯＦＤＭ信号を生成し、放送波を、送信アンテナ１１３〜１１６からそれぞれ送信する。送信装置１０３は、送信アンテナ１１３からＨ偏波を送信し、送信アンテナ１１４からＶ偏波を送信する。また、送信装置１０４は、送信アンテナ１１５からＨ偏波を送信し、送信アンテナ１１６からＶ偏波を送信する。送信装置１０３及び送信装置１０４から測定器２への伝送路において、それぞれのＳＰ信号が重畳する。
【００５１】
図８は、実施例２にて用いるＳＰパターンの例を説明する図であり、正及び負の反転型パイロットとヌルパイロットとを合わせたＳＰパターンを示している。図８（１）は、Ａ局に設けられた送信装置１０３の送信アンテナ１１３の系統（Ｈ偏波が送信される系統）に用いるＳＰパターンの例である。図８（２）は、Ａ局に設けられた送信装置１０３の送信アンテナ１１４の系統（Ｖ偏波が送信される系統）に用いるＳＰパターンの例である。また、図８（３）は、Ｂ局に設けられた送信装置１０４の送信アンテナ１１５の系統（Ｈ偏波が送信される系統）に用いるＳＰパターンの例である。図８（４）は、Ｂ局に設けられた送信装置１０４の送信アンテナ１１６の系統（Ｖ偏波が送信される系統）に用いるＳＰパターンの例である。横軸はキャリア方向、縦軸はシンボル方向を示す。黒丸及び黒四角は、正のＳＰ信号（１＋０ｊ）を示し、バツ印の丸及び四角は、負のＳＰ信号（−１＋０ｊ）を示し、白丸及び白四角は、ヌルのＳＰ信号（０＋０ｊ）を示す。
【００５２】
図８（１）〜（４）に示すように、ＳＰ信号は、各シンボルに配置され、同一シンボルにおいて、キャリア方向につき１２個間隔に配置されている。図８（１）（３）では、正のＳＰ信号及びヌルのＳＰ信号のそれぞれが２４個間隔に交互に配置されている。図８（２）（４）では、正または負のＳＰ信号及びヌルのＳＰ信号が交互に配置されている。正または負のＳＰ信号は４８個間隔であり、ヌルのＳＰ信号は２４個間隔である。
【００５３】
また、ＳＰ信号は、複数のシンボルにおいて３キャリア毎に配置され、同一キャリアにおいて、シンボル方向につき４シンボル間隔に配置されている。図８（１）（３）では、正のＳＰ信号及びヌルのＳＰ信号のそれぞれが８シンボル間隔に交互に配置されている。図８（２）（４）では、正または負のＳＰ信号及びヌルのＳＰ信号が交互に配置されている。正または負のＳＰ信号は１６シンボル間隔であり、ヌルのＳＰ信号は８シンボル間隔である。また、ＳＰ信号のキャリア方向の補間後の間隔をＤｘ、シンボル方向の間隔をＤｙとすると、図８ではこれらの組み合わせの一例として、（Ｄｘ，Ｄｙ）＝（３，４）を示している。これに対し、（Ｄｘ，Ｄｙ）＝（６，２）、（６，４）等の様々な組み合わせとしてもよい。
【００５４】
このように、ＳＰ信号は、１６シンボルを周期としたパターンで構成されており、図８（１）〜（４）のＳＰ信号は、直交している。直交するＳＰ信号のパターンは、ＳＰ信号の各成分を個別に分離できれば、どのような直交パターンでもよい。このような直交するＳＰ信号を利用することにより、Ａ局の送信装置１０３に備えた送信アンテナ１１３，１１４及びＢ局の送信装置１０４に備えた送信アンテナ１１５，１１６から測定器２の受信アンテナ４，５への伝送路応答を、個別に求めることができる。
【００５５】
図９は、実施例２における各経路の遅延プロファイルを説明する図である。図７に示したＭＩＭＯシステムでは、Ａ局の送信装置１０３及びＢ局の送信装置１０４と測定器２との間に８つの経路が形成される。送信装置１０３の送信アンテナ１１３から測定器２の受信アンテナ４への経路の遅延プロファイルをａHHとし、送信装置１０３の送信アンテナ１１３から測定器２の受信アンテナ５への経路の遅延プロファイルをａHVとする。また、送信装置１０３の送信アンテナ１１４から測定器２の受信アンテナ４，５への経路の遅延プロファイルをそれぞれａVH，ａVVとする。同様に、送信装置１０４の送信アンテナ１１５から測定器２の受信アンテナ４，５への経路の遅延プロファイルをそれぞれｂHH，ｂHVとし、送信装置１０４の送信アンテナ１１６から測定器２の受信アンテナ４，５への経路の遅延プロファイルをそれぞれｂVH，ｂVVとする。
【００５６】
送信装置１０３の送信アンテナ１１３から送信されたＨ偏波は、遅延プロファイルａHHの経路を介して測定器２の受信アンテナ４へ送信され、送信装置１０３の送信アンテナ１１４から送信されたＶ偏波は、遅延プロファイルａVHの経路を介して測定器２の受信アンテナ４へ送信される。また、送信装置１０４の送信アンテナ１１５から送信されたＨ偏波は、遅延プロファイルｂHHの経路を介して測定器２の受信アンテナ４へ送信され、送信装置１０４の送信アンテナ１１６から送信されたＶ偏波は、遅延プロファイルｂVHの経路を介して測定器２の受信アンテナ４へ送信される。このとき、送信装置１０３，１０４から測定器２への伝送路において、送信装置１０３の送信アンテナ１１３からのＳＰ信号、送信装置１０３の送信アンテナ１１４からのＳＰ信号、送信装置１０４の送信アンテナ１１５からのＳＰ信号、及び送信装置１０４の送信アンテナ１１６からのＳＰ信号が重畳する。
【００５７】
送信装置１０３の送信アンテナ１１３から送信されたＨ偏波は、遅延プロファイルａHVの経路を介して測定器２の受信アンテナ５へ送信され、送信装置１０３の送信アンテナ１１４から送信されたＶ偏波は、遅延プロファイルａVVの経路を介して測定器２の受信アンテナ５へ送信される。また、送信装置１０４の送信アンテナ１１５から送信されたＨ偏波は、遅延プロファイルｂHVの経路を介して測定器２の受信アンテナ５へ送信され、送信装置１０４の送信アンテナ１１６から送信されたＶ偏波は、遅延プロファイルｂVVの経路を介して測定器２の受信アンテナ５へ送信される。このとき、送信装置１０３，１０４から測定器２への伝送路において、送信装置１０３の送信アンテナ１１３からのＳＰ信号、送信装置１０３の送信アンテナ１１４からのＳＰ信号、送信装置１０４の送信アンテナ１１５からのＳＰ信号、及び送信装置１０４の送信アンテナ１１６からのＳＰ信号が重畳する。
【００５８】
図７に戻って、測定器２は、送信装置１０３の送信アンテナ１１３，１１４からの放送波及び送信装置１０４の送信アンテナ１１５，１１６からの放送波を、受信アンテナ４，５にて受信する。そして、測定器２は、ＳＰ信号の直交性を利用して、重畳した信号からそれぞれのＳＰ信号を抽出し各経路の伝送路応答を求める。
【００５９】
そして、測定器２は、各経路の伝送路応答から遅延プロファイルａHH，ａVH，ｂHH，ｂVH，ａHV，ａVV，ｂHV，ｂVVを求め、遅延プロファイルａHH，ａVH，ｂHH，ｂVH，ａHV，ａVV，ｂHV，ｂVVから放送波の遅延差を検出する。これにより、測定器２の受信アンテナ４，５を受信点として、放送波の遅延差が検出される。
【００６０】
〔測定器２／実施例２〕
次に、図７に示した測定器２について詳細に説明する。図１０は、実施例２の測定器２の構成例を示すブロック図である。この測定器２は、受信アンテナ４，５、受信アンテナ４の系統の各構成部、受信アンテナ５の系統の各構成部、及び遅延差検出部２６を備えている。受信アンテナ４の系統は、有効シンボル期間抽出部２１−１、ＦＦＴ部２２−１、ＳＰ抽出部２３−１、ＳＰ補間部２４−１及びＩＦＦＴ部２５−１を備え、受信アンテナ５の系統は、有効シンボル期間抽出部２１−２、ＦＦＴ部２２−２、ＳＰ抽出部２３−２、ＳＰ補間部２４−２及びＩＦＦＴ部２５−２を備えている。
【００６１】
尚、図１０には、本発明と直接関連する構成部のみ示してあり、本発明と直接関連しないシンボル同期部等の構成部は省略してある。受信アンテナ４の系統の各構成部の処理及び受信アンテナ５の系統の各構成部の処理は、従来のＯＦＤＭ信号を処理する構成部と同じである。
【００６２】
有効シンボル期間抽出部２１−１，２１−２は、図４に示した有効シンボル期間抽出部１１と同じ処理を行い、ＦＦＴ部２２−１，２２−２は、ＦＦＴ部１２と同じ処理を行い、ＳＰ抽出部２３−１，２３−２は、ＳＰ抽出部１３と同じ処理を行う。また、ＳＰ補間部２４−１，２４−２は、ＳＰ補間部１４を同じ処理を行い、ＩＦＦＴ部２５−１，２５−２は、ＩＦＦＴ部１５と同じ処理を行う。有効シンボル期間抽出部２１−１，２１−２、ＦＦＴ部２２−１，２２−２、ＳＰ抽出部２３−１，２３−２及びＳＰ補間部２４−１，２４−２の処理については省略する。
【００６３】
測定器２が受信アンテナ４にて、送信装置１０３及び送信装置１０４から送信された放送波をそれぞれ受信すると、Ｈ偏波のＯＦＤＭ信号は、受信アンテナ４の系統により処理される。また、測定器２が受信アンテナ５にて、送信装置１０３及び送信装置１０４から送信された放送波をそれぞれ受信すると、Ｖ偏波のＯＦＤＭ信号は、受信アンテナ５の系統により処理される。
【００６４】
ＩＦＦＴ部２５−１は、ＳＰ補間部２４−１から各経路の伝送路応答を入力し、各経路の伝送路応答を逆高速フーリエ変換することで、周波数領域の信号を時間領域の信号に変換し、遅延プロファイルａHH，ａVH，ｂHH，ｂVHを求める。ＩＦＦＴ部２５−２は、ＳＰ補間部２４−２から各経路の伝送路応答を入力し、各経路の伝送路応答を逆高速フーリエ変換することで、周波数領域の信号を時間領域の信号に変換し、遅延プロファイルａHV，ａVV，ｂHV，ｂVVを求める。
【００６５】
遅延差検出部２６は、ＩＦＦＴ部２５−１から遅延プロファイルａHH，ａVH，ｂHH，ｂVHを入力すると共に、ＩＦＦＴ部２５−２から遅延プロファイルａHV，ａVV，ｂHV，ｂVVを入力する。そして、遅延差検出部２６は、主偏差成分（送信の偏波方向と受信の偏波方向が同一の成分）の遅延プロファイルａHH，ｂHH，ａVV，ｂVVのピーク位置を検出し、Ｈ偏波成分における遅延プロファイルａHHのピーク位置と遅延プロファイルｂHHのピーク位置との時間間隔、または、Ｖ偏波成分における遅延プロファイルａVVのピーク位置と遅延プロファイルｂVVのピーク位置との時間間隔を、Ａ，Ｂ局から送信された両放送波の遅延差として検出する。そして、遅延差検出部１６は、遅延差を表示部等へ出力する。遅延差検出部２６は、図５に示した遅延差検出部１６の処理例と同様の処理を行う
【００６６】
遅延プロファイルａHH，ａVH，ｂHH，ｂVH，ａHV，ａVV，ｂHV，ｂVVのうち、主偏波成分の遅延プロファイルａHH，ｂHHまたは遅延プロファイルａVV，ｂVVを用いて遅延差を検出するのは、交差偏波成分（送信の偏波方向と受信の偏波方向が異なる成分）の遅延プロファイルａVH，ｂVH，ａHV，ｂHVが遅延差の測定に影響しないからである。
【００６７】
尚、遅延差検出部２６は、遅延プロファイルａHHのピーク位置と遅延プロファイルｂHHのピーク位置との時間間隔を求めると共に、遅延プロファイルａVVのピーク位置と遅延プロファイルｂVVのピーク位置との時間間隔を求め、両時間間隔の平均値を、Ａ，Ｂ局から送信された両放送波の遅延差として検出するようにしてもよい。
【００６８】
また、遅延差検出部２６は、受信アンテナ４，５の系統のうち受信感度の高い系統の遅延プロファイルを用いて、遅延差を検出するようにしてもよい。具体的には、遅延差検出部２６は、受信アンテナ４，５の系統のうち受信感度の高い系統を、遅延プロファイルａHH，ｂHHの振幅及び遅延プロファイルａVV，ｂVVの振幅を比較することで判定する。そして、遅延差検出部２６は、受信アンテナ４の系統の受信感度が高いと判定した場合（遅延プロファイルａHH，ｂHHの振幅が大きいと判定した場合）、遅延プロファイルａHHのピーク位置と遅延プロファイルｂHHのピーク位置との時間間隔を遅延差として検出する。一方、遅延差検出部２６は、受信アンテナ５の系統の受信感度が高いと判定した場合（遅延プロファイルａVV，ｂVVの振幅が大きいと判定した場合）、遅延プロファイルａVVのピーク位置と遅延プロファイルｂVVのピーク位置との時間間隔を遅延差として検出する。
【００６９】
また、図１０に示した測定器２は、受信アンテナ４，５の２系統の構成部を備えているが、１系統のみの構成部を備えるようにしてもよい。例えば、測定器２は、受信アンテナ４の系統の構成部及び遅延差検出部２６を備え、遅延差検出部２６は、主偏波成分であるＨ偏波成分の遅延プロファイルａHH，ｂHHのピーク位置を検出し、遅延プロファイルａHHのピーク位置と遅延プロファイルｂHHのピーク位置との時間間隔を、Ａ，Ｂ局から送信された両放送波の遅延差として検出する。また、測定器２は、受信アンテナ５の系統の構成部及び遅延差検出部２６を備え、遅延差検出部２６は、主偏波成分であるＶ偏波成分の遅延プロファイルａVV，ｂVVのピーク位置を検出し、遅延プロファイルａVVのピーク位置と遅延プロファイルｂVVのピーク位置との時間間隔を、Ａ，Ｂ局から送信された両放送波の遅延差として検出する。
【００７０】
以上のように、実施例２の測定器２によれば、Ａ局の送信装置１０３に備えた送信アンテナ１１３，１１４及びＢ局の送信装置１０３に備えた送信アンテナ１１５，１１６から直交したＳＰ信号を含むＨ偏波及びＶ偏波がそれぞれ送信され、ＳＰ信号が重畳したＨ偏波及びＶ偏波を受信する。ＳＰ抽出部２３−１，２３−２は、受信したＨ偏波及びＶ偏波のＯＦＤＭ信号のキャリアシンボルからＳＰ信号を抽出し、ＳＰ補間部２４−１，２４−２は、ＳＰ信号の直交性を利用することで、ＳＰ信号を補間して各経路の伝送路応答を求める。そして、ＩＦＦＴ部２５−２，２５−２は、各経路の伝送路応答を逆高速フーリエ変換することで、遅延プロファイルａHH，ａVH，ｂHH，ｂVH，ａHV，ａVV，ｂHV，ｂVVを求め、遅延差検出部１６は、遅延プロファイルａHH，ｂHHのピーク位置または遅延プロファイルａVV，ｂVVのピーク位置を検出し、その時間間隔を、Ａ，Ｂ局から送信された両放送波の遅延差として検出する。
【００７１】
これにより、Ａ，Ｂ局からパターンの異なるＳＰ信号を含む放送波が送信された場合であっても、互いに分離可能な直交したＳＰ信号を利用することで、Ａ局から送信された放送波とＢ局から送信された放送波との間の遅延差を、遅延プロファイルを用いて測定することが可能となる。
【００７２】
尚、実施例１の測定器１及び実施例２の測定器２のハードウェア構成としては、通常のコンピュータを使用することができる。測定器１，２は、ＣＰＵ、ＲＡＭ等の揮発性の記憶媒体、ＲＯＭ等の不揮発性の記憶媒体、及びインターフェース等を備えたコンピュータによって構成される。測定器１に備えた有効シンボル期間抽出部１１、ＦＦＴ部１２、ＳＰ抽出部１３、ＳＰ補間部１４、ＩＦＦＴ部１５及び遅延差検出部１６の各機能は、これらの機能を記述したプログラムをＣＰＵに実行させることによりそれぞれ実現される。また、測定器２に備えた有効シンボル期間抽出部２１−１，２１−２、ＦＦＴ部２２−１，２２−２、ＳＰ抽出部２３−１，２３−２、ＳＰ補間部２４−１，２４−２、ＩＦＦＴ部２５−１，２５−２及び遅延差検出部２６の各機能は、これらの機能を記述したプログラムをＣＰＵに実行させることによりそれぞれ実現される。これらのプログラムは、前記記憶媒体に格納されており、ＣＰＵに読み出されて実行される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【００７３】
以上、実施例１，２を挙げて本発明を説明したが、本発明は前記実施例１，２に限定されるものではなく、その技術思想を逸脱しない範囲で種々変形可能である。例えば、図２及び図８に示したＳＰパターンは一例であり、本発明は、このＳＰパターンに限定されるものではなく、他のＳＰパターンを用いるようにしてもよい。要するに、ＳＰパターンは、経路間で直交していればよく、測定器１，２が直交するＳＰ信号を用いて各経路の伝送路応答を算出できるように、ＳＰ信号が配置されていればよい。また、ＳＰ信号以外のパイロット信号を用いるようにしてもよい。
【００７４】
また、前記実施例１では、送信局がＡ局及びＢ局の場合を例として説明したが、本発明は、送信局が３以上の場合にも適用がある。つまり、本発明は、ｎ×１ＭＩＳＯシステムに適用がある（ｎは２以上の正の整数）。この場合、測定器１の遅延差検出部１６は、ｎ経路の遅延プロファイルを入力し、ｎ経路の遅延プロファイルのピーク位置を検出する。そして、遅延差検出部１６は、ｎ経路の遅延プロファイルのピーク位置のうち、所定の１つの送信局との間の経路における遅延プロファイルのピーク位置、及び他の１つの送信局との間の経路における遅延プロファイルのピーク位置について、その時間間隔を、所定の１つの送信局及び他の送信局から送信された両放送波の遅延差として検出する。
【００７５】
また、前記実施例１では、同一偏波を用いたＭＩＳＯシステムの例を挙げて説明したが、本発明は、異なる偏波を用いるＭＩＳＯシステム、及び偏波を用いない空間ＭＩＳＯシステム等にも適用がある。また、前記実施例２では、両偏波を用いたＭＩＭＯシステムの例を挙げて説明したが、本発明は、偏波を用いない空間ＭＩＭＯシステム、指向性ＭＩＭＯシステム等にも適用がある。本発明では、アンテナ間の距離を十分にとり、相関を低くすることにより、ＭＩＳＯシステム及びＭＩＭＯシステムにおいて同一偏波を用いることができる。
【００７６】
例えば、偏波を用いない空間ＭＩＭＯシステムにおいて、図７及び図９を参照して、送信装置１０３は、送信アンテナ１１３から第１の主成分の放送波を送信し、送信アンテナ１１４から第２の主成分の放送波を送信する。また、送信装置１０４は、送信アンテナ１１５から第１の主成分の放送波を送信し、送信アンテナ１１６から第２の主成分の放送波を送信する。また、図９及び図１０を参照して、測定器２は、第１の主成分の放送波を、受信アンテナ４にて受信し、第２の主成分の放送波を、受信アンテナ５にて受信する。測定器２の遅延差検出部２６は、受信した放送波における主成分の遅延プロファイル（図９に示した遅延プロファイルａHH，ｂHH，ａVV，ｂVVに対応する遅延プロファイル）のピーク位置をそれぞれ検出し、第１の主成分における２つの遅延プロファイル（遅延プロファイルａHH，ｂHHに対応する遅延プロファイル）のピーク位置の時間間隔、または、第２の主成分における遅延プロファイル（遅延プロファイルａVV，ｂVVに対応する遅延プロファイル）のピーク位置の時間間隔を、Ａ，Ｂ局から送信された両放送波の遅延差として検出する。
【００７７】
また、前記実施例２では、Ｈ偏波及びＶ偏波による偏波方式の例を用いて説明したが、本発明は、他の偏波（例えば円偏波）によるＭＩＭＯ方式を用いた場合にも適用がある。また、前記実施例２では、送信局がＡ局及びＢ局の場合を例として説明したが、本発明は、送信局が３以上の場合にも適用がある。つまり、本発明は、２ｎ×２偏波ＭＩＭＯシステムに適用がある（ｎは２以上の正の整数）。
【００７８】
この場合、測定器２の遅延差検出部２６は、２ｎ×２偏波ＭＩＭＯシステムにおける複数の経路の遅延プロファイルを入力し、複数の経路における主偏波成分の遅延プロファイルのピーク位置を検出する。そして、遅延差検出部２６は、複数の経路における主偏波成分のピーク位置（例えば、Ｈ偏波を主偏波成分とした場合の遅延プロファイルａHH，ｂHH，ｃHH，ｄHH，・・・のピーク位置、及びＶ偏波を主偏波成分とした場合の遅延プロファイルａVV，ｂVV，ｃVV，ｄVV，・・・のピーク位置）のうち、同じ種類の偏波成分のピーク位置（例えば、Ｈ偏波成分の遅延プロファイルａHH，ｂHH，ｃHH，ｄHH，・・・のピーク位置）を選択する。そして、遅延差検出部２６は、選択した複数のピーク位置のうち、所定の１つの送信局（例えばＢ局）との間の経路におけるピーク位置（例えば、遅延プロファイルｂHHのピーク位置）、及び他の送信局（例えばＣ局）との間の経路におけるピーク位置（例えば、遅延プロファイルＣHHのピーク位置）について、その時間間隔を、所定の１つの送信局（例えばＢ局）及び他の送信局（例えばＣ局）から送信された両放送波の遅延差として検出する。また、本発明は、例えば４×４ＭＩＭＯシステムにも適用がある。
【００７９】
また、前記実施例１，２では、測定器１，２の例を挙げて説明したが、本発明は受信装置にも適用がある。受信装置は、図４に示した実施例１の構成部または図１０に示した実施例２の構成部を備え、遅延差を検出すると共に、受信した放送波ＯＦＤＭ信号を復調する。
【００８０】
また、前記実施例１において、図４に示した実施例１における測定器１の有効シンボル期間抽出部１１から遅延差検出部１６までの各構成部の処理は、測定器１に搭載される集積回路であるＬＳＩのチップにより実現されるようにしてもよい。これらは、個別に１チップ化されていてもよいし、これらの一部または全部が１チップ化されていてもよい。
【００８１】
また、ＬＳＩの代わりに、集積度の異なるＶＬＳＩ、ＵＬＳＩ等のチップにより実現されるようにしてもよい。さらに、ＬＳＩ等のチップに限るものではなく、専用回路または汎用プロセッサを用いるようにしてもよいし、ＦＰＧＡ（Field Programmable Gate Array）を用いるようにしてもよい。図１０に示した実施例２における測定器２の有効シンボル期間抽出部２１−１，２１−２から遅延差検出部２６までの各構成部の処理についても同様であり、測定器２に搭載されるチップにより実現される。
【符号の説明】
【００８２】
１，２  測定器
３〜５  受信アンテナ
１１，２１−１，２１−２  有効シンボル期間抽出部
１２，２２−１，２２−２  ＦＦＴ部
１３，２３−１，２３−２  ＳＰ抽出部
１４，２４−１，２４−２  ＳＰ補間部
１５，２５−１，２５−２  ＩＦＦＴ部
１６，２６  遅延差検出部
１０１〜１０４  送信装置
１１１〜１１６  送信アンテナ
【図１】
0006684104.tif 000002
【図２】
0006684104.tif 000003
【図３】
0006684104.tif 000004
【図４】
0006684104.tif 000005
【図５】
0006684104.tif 000006
【図６】
0006684104.tif 000007
【図７】
0006684104.tif 000008
【図８】
0006684104.tif 000009
【図９】
0006684104.tif 000010
【図１０】
0006684104.tif 000011